(57)【特許請求の範囲】
【請求項１】
ケース内にポンプ室を形成する複数のダイヤフラムを備え、偏心回転軸により揺動される揺動体によって前記ダイヤフラムが上下動されてポンプ動作を行う小型ポンプであって、該小型ポンプの前記偏心回転軸の上端部をケースの所定個所に揺動自在に遊嵌させると共に、該偏心回転軸の下端部を回転体に偏心して穿設された穴に揺動自在に遊嵌させ、該回転体をモータにより回転させることによって該偏心回転軸を偏心回転させるように構成した小型ポンプに於て、前記回転体に穿設される穴を下段の小径穴部と、上段の大径穴部とから成る上下２段の穴に形成し、前記偏心回転軸の下端部を前記下段の小径穴部に揺動自在に遊嵌させるように構成したことを特徴とする小型ポンプ。
【発明の詳細な説明】
【０００１】
【発明の属する技術分野】
この発明は、小型ポンプに関するものであり、特に、血圧計等に用いられ、ダイヤフラムを使用する小型ポンプに関するものである。
【０００２】
【従来の技術】
此種小型ポンプを本出願人は先に出願（特願２０００−２９５５２５）しており、該先願の小型ポンプを図３及び図４に従って説明する。図３に於て１は小型ポンプであり、該小型ポンプ１は平面視長方形のケース２内にポンプ室３，３を形成する２個のダイヤフラム４，４が備えられ、該ダイヤフラム４，４の夫々の下部中心部には中空状取付体５，５が下方に突設して設けられ、該ダイヤフラム４，４の下方には、該ダイヤフラム４，４の下面を上下動させる揺動体６が配設されている。尚、前記ケース２は上ケース２ａと、中ケース２ｂと、下ケース２ｃの３段で構成され、前記ダイヤフラム４，４は該ダイヤフラム４，４の鍔部４ａ，４ａ…が前記上ケース２ａと前記中ケース２ｂとの間に挟着されて前記ケース２に保持されている。
【０００３】
そして、前記揺動体６の外周端近傍であって、且つ、前記ダイヤフラム４，４の夫々の中心部下方に位置して、空気導入孔７ａ，７ａを備えた軸体７，７が上方に突設して設けられ、該軸体７，７の外側面に前記ダイヤフラム４，４に設けた前記中空状取付体５，５の内側面が蜜嵌して前記揺動体６に前記ダイヤフラム４，４が取付けられる。
【０００４】
又、各ダイヤフラム４，４の底部中心部は一部が切開されて、吸気弁体８，８が形成されると共に、該切開によって貫通孔９，９が設けられ、該吸気弁体８，８により、該貫通孔９，９を開閉可能にして吸気弁部Ｖ1，Ｖ1が構成される。
更に、前記上ケース２ａの中央部には排気孔１０が開穿され、且つ、該上ケース２ａの下面部の該排気孔１０外周に該排気孔１０と連通し、且つ、下方に開口する２個の環状凹溝１１，１１が設けられており、該環状凹溝１１，１１を形成する内壁面１１ａ、１１ａに前記ダイヤフラム４，４の上端部から成る排気弁体１２，１２を圧接させて排気弁部Ｖ2，Ｖ2が構成されている。
【０００５】
又、前記揺動体６の中心部には該揺動体６を偏心回転により揺動させる偏心回転軸１３が貫通して固着される。そして、該揺動体６の上方に前記中ケース２ｂから延設された延設部１４が設けられると共に、該延設部１４の下部に下方に開口するＶ字形の凹部１５が形成され、前記偏心回転軸１３の上端部が該凹部１５内に揺動自在に遊嵌され、他方、前記下ケース２ｃの下部中心部に立設して枢支された回転駆動軸１６上端部に回転体１７が固着され、該回転体１７は図４に示すように、該回転体１７上面の中心位置から偏心した位置に所定径で所定深さを有する円柱形状の穴１８が穿設され、前記偏心回転軸１３の下端部が該穴１８に揺動自在に遊嵌されている。
【０００６】
そして、前記下ケース２ｃには前記回転駆動軸１６に接続されるモータ１９を収納するモータケース２０が直結され、該下ケース２ｃに該モータケース２０と連通する連通孔２１が設けられると共に、該モータケース２０の下部に該モータケース２０内に外気を導入するための吸気孔２２，２２が形成されている。
【０００７】
而して、前記モータ１９の駆動により前記回転駆動軸１６が回転し、前記回転体１７が回転すると、前記偏心回転軸１３が前記穴１８内で揺動することにより偏心回転し、これによって前記揺動体６が揺動し、前記ダイヤフラム４，４の下端部を上下動させる。そして、例えば、一方のダイヤフラム４の下端部が下動された時、該ダイヤフラム４内は負圧になり、前記排気弁体１２は前記環状凹溝１１の前記内壁面１１ａに密着し、即ち、前記排気弁部Ｖ2は閉じ、且つ、前記吸気弁体８は前記貫通孔９を閉塞状態から開放し、即ち、前記吸気弁部Ｖ1は開状態となり、前記空気導入孔７ａから前記ダイヤフラム４内へ矢印Ｃの如く吸気が行われる。
【０００８】
次に、前記ダイヤフラム４の下端部が上動された時、前記ダイヤフラム４内は高圧になり、前記吸気弁体８が前記貫通孔９を閉塞して前記吸気弁部Ｖ1を閉状態にすると共に前記排気弁体１２が前記内壁面１１ａより拡径して前記排気弁部Ｖ2による排気が矢印Ｄの如く行われる。即ち、該排気弁体１２内より排出された空気は前記環状凹溝１１を通り前記排気孔１０から前記ケース２外に排出される。
【０００９】
又、前記ダイヤフラム４の上動に伴って前記下ケース２ｃ内が負圧になり、前記連通孔２１を介して前記モータケース２０内の空気が矢印Ｅの如く流入し、これによって、該モータケース２０内が負圧になり前記吸気孔２２を介して外気が矢印Ｆの如く吸入される。
【００１０】
【発明が解決しようとする課題】
上記小型ポンプは、ダイヤフラムを上下動させる揺動体の偏心回転軸が回転体に偏心して穿設された穴内に挿入されて揺動自在に遊嵌されており、モータの回転により前記回転体が回転すると、前記偏心回転軸が前記穴内で揺動することにより偏心回転し、これによって前記揺動体が揺動し、前記ダイヤフラムの下端部を上下動させる。
【００１１】
然しながら、前記穴が円柱形状に穿設されているため、前記偏心回転軸が前記穴内で揺動する時、該偏心回転軸の下端部が該穴の底部内に於て、比較的大きい揺動動作で激しく揺動するため、所謂「暴れ」が発生し、該「暴れ」によって、大きな騒音が発生する。
【００１２】
そこで、ダイヤフラムを使用する小型ポンプに於て、ダイヤフラムを上下動させるための偏心回転軸の暴れを防止し、騒音を低減させるために解決すべき技術的課題が生じてくるのであり、本発明はこの課題を解決することを目的とする。
【００１３】
【課題を解決するための手段】
本発明は上記目的を達成するために提案されたものであり、ケース内にポンプ室を形成する複数のダイヤフラムを備え、偏心回転軸により揺動される揺動体によって前記ダイヤフラムが上下動されてポンプ動作を行う小型ポンプであって、該小型ポンプの前記偏心回転軸の上端部をケースの所定個所に揺動自在に遊嵌させると共に、該偏心回転軸の下端部を回転体に偏心して穿設された穴に揺動自在に遊嵌させ、該回転体をモータにより回転させることによって該偏心回転軸を偏心回転させるように構成した小型ポンプに於て、前記回転体に穿設される穴を下段の小径穴部と、上段の大径穴部とから成る上下２段の穴に形成し、前記偏心回転軸の下端部を前記下段の小径穴部に揺動自在に遊嵌させるように構成した小型ポンプを提供するものである。
【００１４】
【発明の実施の形態】
以下、本発明の一実施の形態を図１及び図２に従って詳述する。尚、説明の都合上、上述した先願の小型ポンプと同一構成部分については同一符号を付してその説明を省略する。図１に於て、２３は小型ポンプであり、該小型ポンプ２３は従来例の小型ポンプ（図３に於て１）に設けた回転体（図３に於て１７）に代えて回転体２４を設けたものである。該回転体２４は従来例の穴（図３に於て１８）に代えて穴２５が偏心して穿設され、該穴２５は、図２に示す如く、下段の円柱形状の小径穴部２６と、上段の円柱形状の大径穴部２７から成る上下２段に形成されており、且つ、前記回転体２４の外周端部近傍に於て、該小径穴部２６の外周円が該大径穴部２７の外周円に略内接するように形成されており、前記偏心回転軸１３の下端部が該小径穴部２６内に揺動自在に遊嵌されるように構成されている。
【００１５】
而して、前記モ−タ１９の回転により前記回転体２４が回転すると、偏心回転軸１３の下端部が前記小径穴部２６内で揺動することにより偏心回転し、これによって揺動体６が揺動し、ダイヤフラム４，４の下端部を上下動させる。そして、例えば、一方のダイヤフラム４の下端部が下動された時、該ダイヤフラム４内は負圧になり、排気弁体１２は環状凹溝１１の内壁面１１ａに密着し、即ち、排気弁部Ｖ2は閉じ、且つ、吸気弁体８は貫通孔９を閉塞状態から開放し、即ち、吸気弁部Ｖ1は開状態となり、空気導入孔７ａから前記ダイヤフラム４内へ矢印Ｃの如く吸気が行われる。
【００１６】
次に、前記ダイヤフラム４の下端部が上動された時、該ダイヤフラム４内は高圧になり、前記吸気弁体８が前記貫通孔９を閉塞して前記吸気弁部Ｖ1を閉状態にすると共に前記排気弁体１２が前記内壁面１１ａより拡径して前記排気弁部Ｖ2による排気が矢印Ｄの如く行われる。該排気弁体１２内より排出された空気は前記環状凹溝１１を通り排気孔１０からケース２外に排出される。
【００１７】
又、前記ダイヤフラム４の上動に伴って下ケース２ｃ内が負圧になり、連通孔２１を介してモータケース２０内の空気が矢印Ｅの如く流入し、これによって、該モータケース２０内が負圧になり吸気孔２２を介して外気が矢印Ｆの如く吸入される。
【００１８】
斯くして、前記小型ポンプ２３に於ては、前記偏心回転軸１３の下端部が前記小径穴部２６内で揺動するので、該偏心回転軸１３の下端部の揺動動作が小さくなり、先願の所謂「暴れ」が防止され、騒音が著しく低減する。
又、前記小径穴部２６及び前記大径穴部２７の形成は容易である。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態に詳述したように、小型ポンプに於て、回転体に偏心して穿設される穴を下段の小径穴部と、上段の大径穴部とから成る上下２段に形成し、偏心回転軸の下端部を前記小径穴部に揺動自在に遊嵌させるように構成したから、該小径穴部によって、該偏心回転軸の下端部の揺動動作が小さくなり、先願の所謂「暴れ」が防止され、騒音が著しく低減する等、正に著大なる効果を奏する発明である。
【図面の簡単な説明】
【図１】本発明の一実施の形態を示し、小型ポンプの縦断面図。
【図２】（ａ）図１の回転体の平面図。
（ｂ）図１の回転体の縦断面図。
【図３】先願の一実施の形態を示し、小型ポンプの縦断面図。
【図４】（ａ）図３の回転体の平面図。
（ｂ）図３の回転体の縦断面図。
【符号の説明】
２          ケース
３          ポンプ室
４          ダイヤフラム
６          揺動体
１３          偏心回転軸
１９          モータ
２３          小型ポンプ
２４          回転体
２５          穴
２６          穴部
２７          穴部
【図１】
0003928398.tif 000002
【図２】
0003928398.tif 000003
【図３】
0003928398.tif 000004
【図４】
0003928398.tif 000005